(57)【要約】      （修正有）【課題】簡単に片手でも正確に計量する事ができる、計量パチンコ玉カップ。【解決手段】有底筒型形状のカップ１の側面２〜５の最底部に枠組８と、一段目を除く奇数断層の側面内側に水平リブ６，７を設け、上端開口部１０より垂直にパチンコ玉を流し入れると、開口部１０までパチンコ玉の層ができる。枠組８に囲まれた底面９の内側には許容範囲限界のパチンコ玉が敷き詰められ、その上の層では上から注がれるパチンコ玉の圧力とパチンコ玉自身の重力により、パチンコ玉とパチンコ玉の間にできる窪みに挟まろうとする力が働き、規則正しく整列したパチンコ玉からなる層ができる。さらにその上の層では、側面２〜５の内側に水平リブ６，７が設けられている為、一段下の層の内側にできた窪みにパチンコ玉が倒れ留まる為、下の層より縦横一減少したパチンコ玉が敷き詰められ層になる。このように球体の性質を利用することで正確に計量する事が出来る。【選択図】図１
2011120630.tif 000002
【特許請求の範囲】
【請求項１】
有底筒型形状のカップからなるパチンコ玉計量カップにおいて、パチンコ玉計量時に最底部から開口部にかけて、側面の内側にパチンコ玉の整列個数を規制する為のリブを設けた事を特徴とする計量カップ。
【請求項２】
前記カップのパチンコ玉計量時に、最底部である一層目の断層を除く奇数断層に値する側面の内側全てに、パチンコ玉の整列個数を規制する為の水平であるリブを設けた事を特徴とする請求項１に記載のパチンコ玉計量カップ。
【請求項３】
前記カップのパチンコ玉計量時に、最底部である一層目の断層に値する側面の内側には、枠組を設けて底面のパチンコ玉の整列個数を規制する事を特徴とする、請求項１請求項２に記載のパチンコ玉計量カップ。
【請求項４】
前記カップの側面の内側に設けてあるパチンコ玉を規制する為のリブは、最大整列個数の断層よりも、縦横に一減少させた整列個数のパチンコ玉の断層を作る為に設けた事を特徴とする、請求項１、請求項２、請求項３、に記載のパチンコ玉計量カップ。
【請求項５】
前記カップのパチンコ玉計量時に、側面の内側にパチンコ玉を規制するリブが設けてある為に、パチンコ玉が断層的に積まれる事を特徴とする、請求項１、請求項２、請求項３、請求項４に記載のパチンコ玉計量カップ。
【請求項６】
前記カップの側面の高さは、全ての側面の高さが同じである事を特徴とする、請求項１請求項２、請求項３、請求項４、請求項５に記載のパチンコ玉計量カップ。
【発明の詳細な説明】
【技術分野】
【０００１】
本発明は、パチンコ玉の計量に使用されるパチンコ玉計量カップに関するものである。
【背景技術】
【０００２】
従来のパチンコ玉計量カップは、有底筒型形状でパチンコ玉の並びを規制する手段がないので、パチンコ玉がランダムに並んでしまい全体としてユーザーは計量カップ内に玉を入れ、大体の分量で１カップ分の分量のパチンコ玉を計量していた。
【先行技術文献】
【特許文献】
【０００３】
【特許文献１】実用新案登録第3131785号      従来のパチンコ玉計量カップでは、計量する際に側面に縦にリブが設けられているだけなので、リブ面にそってパチンコ玉をすくい取らなければいけないという点があり、面倒で手間がかかり毎回正確な計量という点にも問題があった。
【発明の概要】
【発明が解決しようとする課題】
【０００４】
このように、従来のパチンコ玉計量カップでは、大量のパチンコ玉を一度に正確な計量で
行えないという問題があった。
【０００５】
そこで、本発明は簡単に大量のパチンコ玉を一度に正確な計量で行えるパチンコ玉計量カップを提供する事を課題とする。
【課題を解決するための手段】
【０００６】
本発明の側面の内側にパチンコ玉を規制し整列させる為のリブを設け断層的に計量できるパチンコ玉計量カップ１によれば、有底筒型形状のカップの側面の最底部に枠組と、一段目を除く奇数断層に値する側面の内側に水平に伸長するリブを設けた事により、上端の開口部より垂直にパチンコ玉を流し入れると、開口部までパチンコ玉の層ができる。枠組に囲まれた底面の内側には許容範囲限界のパチンコ玉が敷き詰められ、その上の層では上から注がれるパチンコ玉の圧力とパチンコ玉自身の重力により、パチンコ玉とパチンコ玉の間にできる窪みに挟まろうとする力が働き、規則正しく整列したパチンコ玉からなる層ができる。さらにその上の層では、側面の内側に水平のリブが設けられている為、一段下の層の内側にできた窪みにパチンコ玉が倒れ留まる為、下の層より縦横一減少したパチンコ玉が敷き詰められ層になる。この繰り返しにより開口部までパチンコ玉の断層ができる。このように球体の性質を利用することで正確に計量する事が出来る。
【発明の効果】
【０００７】
適当にパチンコ玉を流し入れるだけで、パチンコ玉の重力とパチンコ玉の圧力でパチンコ玉が断層になるので、一度に大量のパチンコ玉を簡単に目分量で正確な計量が行える為、ユーザーはとても快適に遊戯する事が出来る。
【発明を実施するための最良の形態】
【０００８】
以下、本発明に係わるパチンコ玉計量カップ１の実施例について、図面に従って説明する。
【０００９】
図１は本発明の実施形態に係わるパチンコ玉計量カップ１を示し、このパチンコ玉計量カップ１は有底筒型形状のカップで四角であり開口部と底面は正方形で側面は垂直からなる。カップ本体は、透明又は半透明な樹脂材料からなる。
【００１０】
前記パチンコ玉計量カップ１の底面９に枠組８を設け、側面２側面４には水平のリブ６を側面３側面５には水平のリブ７を設けられている。
【００１１】
また、図２が示すように底面９にパチンコ玉１１の３×３の形で玉と玉の間に適度な遊びが必要な為、底面９の内側に枠組８をせり出されている。  
【００１２】
次に前期構成からなるパチンコ玉計量カップ１でパチンコ玉１１を計量する場合について説明する。
【実施例１】
【００１３】
図５に示すように、開口部１０より軽くパチンコ玉を片手で徐々に入れていくと、注がれたパチンコ玉１１は底面９から開口部１０に向けて徐々に溜まるが、底面９に設けられた枠組８により底部のパチンコ玉は整列される。
【００１４】
底面から第二層目は、底面の内側に隣接する第一層目の整列されたパチンコ玉のその上に球体の性質と重力及び、開口部１０から注がれるパチンコ玉１１の圧力により各凹み部分へ自然に流れる。
【００１５】
底面から第三層は側面２側面４に設けられたリブ６、側面３側面５に設けられたリブ７によりパチンコ玉１１が外側に倒れるのを防ぎ、第二層同様に開口部１０から注がれる玉の圧力と重力により内側の凹みにパチンコ玉１１を整列させる事が出来る。
【００１６】
以後、第二層、第三層を繰り返すことで簡単に計量する事が出来る。
【００１７】
図６に示すように、パチンコ玉の３×３の層と４×４の層を交互に形成すると、２層１セットで２５個と計量しやすく、見た目も面一で誰が見ても簡単に分かる計量が可能。
【実施例２】
【００１８】
図１〜図７までに示されているパチンコ玉計量カップ１によれば、１０層構造１２５玉の計量ですが、変形実施例２の図８が示す通り底面９の面積や側面２，３，(４)、(５)の高さとそれぞれの辺の長さを変更し、それに合わせたリブ６、リブ７、枠組８を作ることで用途に合わせたパチンコ玉計量カップ１を作る事ができる。
【実施例３】
【００１９】
また変形実施例２として図９が示すようにリブ６、リブ７、枠組８に疑似した本体と一体の形の突起物を、側面の内側や底面の内側に模った物でも、パチンコ玉計量カップ１と同等の効果が得られるものとする。
【実施例４】
【００２０】
変形実施例として図１０が示す様な、様々な折りたたみ式であっても組み立てた時点で本発明の効果が得られるものであればよい。
【実施例５】
【００２１】
変形実施例として、図１１が示すような縦に折りたためるようなものであっても、組み立てた時点で本発明の効果が得られるものであればよい。
【００２２】
以上、各種実施例について記載したが、本発明は樹脂製でなくてもよく、剛体である必要はない。また、本発明の色や形について、半透明や透明でなくてもよく、形は直方体でなくてもよく、開口部は四角である必要はない。
【図面の簡単な説明】
【００２３】
【図１】本発明に係わるパチンコ玉計量カップ１の斜視図。
【図２】本発明に係わるパチンコ玉計量カップ１のパチンコ玉計量時の上面からの断面図。
【図３】本発明に係わるパチンコ玉計量カップ１の斜視図。
【図４】本発明に係わるパチンコ玉計量カップ１の側面断面図。
【図５】本発明に係わるパチンコ玉計量カップ１のパチンコ玉計量時の正面断面図。
【図６】本発明に係わるパチンコ玉計量カップ１の上面からの断面図。
【図７】本発明に係わるパチンコ玉計量カップ１のパチンコ玉計量時の斜視図。
【図８】本発明に係わるパチンコ玉計量カップ１の変形実施例２の断面図。
【図９】本発明に係わるパチンコ玉計量カップ１の変形実施例３の断面図。
【図１０】本発明に係わるパチンコ玉計量カップ１の変形実施例４の斜視時。
【図１１】本発明に係わるパチンコ玉計量カップ１の変形実施例５の断面図。
【符号の説明】
【００２４】
１パチンコ玉計量カップ
２側面
３側面
４側面
５側面
６リブ
７リブ
８枠組
９底面
１０開口部
１１パチンコ玉
【図１】
2011120630.tif 000003
【図２】
2011120630.tif 000004
【図３】
2011120630.tif 000005
【図４】
2011120630.tif 000006
【図５】
2011120630.tif 000007
【図６】
2011120630.tif 000008
【図７】
2011120630.tif 000009
【図８】
2011120630.tif 000010
【図９】
2011120630.tif 000011
【図１０】
2011120630.tif 000012
【図１１】
2011120630.tif 000013